(57)【要約】【課題】  構成が簡単で装置の小型化に適し、且つ利用者の必然の行為で操作される電池交換スイッチを備え、電池交換時のメモリのデータを保護が確実に行われる電子歩数計を提供すること。【解決手段】  スライド型電池蓋２は、電池収納部４にボタン電池５を収納した状態を維持しながら第１取り付け位置と第２取り付け位置の間でスライド可能にして、ケース１に取り付けられている。電池交換スイッチは、ＣＰＵ等が実装された回路基板３に導電性コイルばね７を介して一端が接続された一対の接続ピン６からなる固定接点と、スライド型電池蓋２の内面の一部に配置され前記第１取り付け位置で一対の接続ピン６の他端と接触する非導電部材８ｂと前記第２取り付け位置で一対の接続ピンの他端と接触する導電性接続部材８ａとからなる可動接点で構成されている。【選択図】  図１
2009175940.tif 000002
【特許請求の範囲】
【請求項１】
電池収納部にボタン電池を収納した状態を維持しながら第１取り付け位置と第２取り付け位置の間でスライド可能にしてケースに取り付けられたスライド型電池蓋と前記スライド型電池蓋が前記第１取り付け位置と第２取り付け位置にあるとき第１信号と第２信号をそれぞれ発生する電池交換スイッチを備えた電子歩数計であって、
前記電池交換スイッチは回路基板の回路パターンを介して信号処理部に接続された一対の固定接点と前記スライド型電池蓋の内面に取り付けられた可動接点とからなり、且つ、前記可動接点は前記スライド型電池蓋が前記第１取り付け位置にあるときには前記一対の固定接点を非導通にし、且つ前記スライド型電池蓋が前記第２取り付け位置にあるときには前記一対の固定接点を導通させることを特徴とする電子歩数計。
【請求項２】
前記一対の固定接点は回路基板に一端が接続された一対の接続ピンで構成され、且つ、前記可動接点は前記スライド型電池蓋の内面の一部に配置され前記第１取り付け位置で前記一対の接続ピンの他端と接触する非導電性部材と前記第２取り付け位置で前記一対の接続ピンの他端と接触する導電性接続部材とから構成されていることを特徴とする請求項１に記載の電子歩数計。
【請求項３】
前記一対の接続ピンは前記スライド型電池蓋に覆われる前記ケースの部分に形成されているピン貫通孔に挿入され、前記回路基板に一端が電気的に接続されている導電性弾性部材によって前記回路基板の反対側に押圧されていることを特徴とする請求項２に記載の電子歩数計。
【請求項４】
前記導電性部材は前記スライド型電池蓋の内面に配置された１枚の導電性薄板であって、前記非導電性部材は前記導電性薄板を囲んで前記スライド型電池蓋の内面に配置された非導電性部材であることを特徴とする請求項２に記載の電子歩数計。
【請求項５】
前記導電性薄板は前記一対の接続ピンの配置間隔に対応した大きさの略長方形導電性薄板であって、且つ前記非導電性部材は前記一対の接続ピンの配置間隔及び前記第１取り付け位置と第２取り付け位置の間隔とに対応した形状と面積を有するものであることを特徴とする請求項４に記載の電子歩数計。
【請求項６】
前記スライド型電池蓋の内面にはその大部分を面積をカバーする電池プラス端子板が取り付けられており、前記可動接点が配置される導電性薄板は前記一対の接続ピンの配置間隔に対応した大きさの略長方形導電性薄板であって、且つ前記非導電性部材は前記一対の接続ピンの配置間隔及び前記第１取り付け位置と第２取り付け位置の間隔とに対応した形状と面積を有するものであることを特徴とする請求項４に記載の電子歩数計。
【請求項７】
前記スライド型電池蓋の平面的なスライドは、スライド方向に平行な両側面にＬ型凸部が形成されたスライド型電池蓋が、前記Ｌ型凸部に対応する前記電池収納部の両側面に形成されたケース凹部に案内されて行われることを特徴とする請求項１に記載の電子歩数計。
【発明の詳細な説明】
【技術分野】
【０００１】
本発明は、電子歩数計の電池交換時のメモリのデータを保護する電池交換スイッチの構造に関する。
【背景技術】
【０００２】
従来の電子歩数計には各種のメモリが備えられているが、電池交換時には前記メモリの記憶内容が消去されてしまうものであった。歩数計の機能向上に伴い、メモリに記憶されるデータ量も大きくなり、過去数ケ月分の歩行データを記憶できる製品も商品化されおり、このような高容量のメモリ機能を備えた電子歩数計においては、電池交換を行っても記憶内容を保持し続けることが要求されてきた。
【０００３】
そこで、この要求への対応策として電池と並列に二次電池やキャパシタを配置する方法や、メモリとして不揮発性メモリを採用する方法が考えられる。しかしながら、この２つの方法はいずれも、電池が外された直後の状態では、二次電池やキャパシタなどに蓄えられた容量分は動作が可能であり、この時にデータ書き込みを開始すると書き込みの途中で容量がなくなり動作が停止しメモリの記憶内容を破壊してしまう可能性がある。このため、電池交換時のメモリのデータを保護するために、電池交換状態であることを電子歩数計のＣＰＵに認識させる信号を発生する電池交換スイッチが必要となる。
【０００４】
実開平１−１４２０５８号公報（特許文献１）の図４には、ネジ止めされてケースに取り付けられた電池蓋を有する小型電子機器に適用される電池交換スイッチであって、弾性を有する導電性接点と電池蓋の裏側に形成された突起とから構成され、前記電池蓋が閉じられているときには前記突起が前記導電性接点を押下げて接点電位をローレベルに保持し、前記電池蓋が開けられているときには前記導電性接点は前記突起から開放されて自身の弾性で上昇して電極端子に接触し、接点電位をハイレベルに切り替える電池交換スイッチが開示されている。
【０００５】
また、図５には、蝶番で回動可能にケースに取り付けられた回動型電池蓋を有する小型電子機器に適用される電池交換スイッチであって、弾性を有する導電性接点と回動型電池蓋の側面とから構成され、前記回動型電池蓋が閉じられているときには前記導電性接点は前記回動型電池蓋の側面から開放されて自身の弾性により上昇して接点電位をローレベルに保持し、前記スライド型電池蓋が開けられたときには前記回動型電池蓋の側面が前記導電性接点を押下げて電極端子に接触させ、接点電位をハイレベルに切り替える電池交換スイッチが開示されている。
【０００６】
特開平５−２２５１４０号公報（特許文献２）には、スライド型電池蓋を有する小型電子機器に適用される電池交換スイッチであって、弾性接点片が固定された方形ブロック体の切換操作部と基板側接点とから構成され、前記切換操作部が前記スライド型電池蓋に着脱可能に一体化して固定されていることを特徴とする電池交換スイッチが開示されている。この電池交換スイッチは、スライド型電池蓋が第１取り付け位置にあるときには弾性接点片が基板側接点と離れてオフ状態にあり、第２取り付け位置にスライドしたときには弾性接点片が基板側接点と接触してオン状態となるスイッチである。そして、第２取り付け位置から第１取り付け位置の間においては、電池は電池収納部に収納されている電池は安定的に保持されている。
【０００７】
いずれも電池交換スイッチも電池蓋の開閉動作でオン・オフさせられるものであるが、接点として弾性導電性片を備えるものであるからスイッチのサイズが大きくなること、及びケース並びにスイッチ構造に設計上の制約が伴うので、より小型化した電子機器である電子歩数計には適用することができないものである。また、特許文献１に開示の電池交換スイッチにおいては、電池交換スイッチがスライド型電池蓋の開を検出する前に電池が電池収納部から飛び出して電池接点から外れ、スイッチが正常に作動しない場合も発生するという問題がある。
【０００８】
また、特許文献２に開示の電池交換スイッチにおいては、スライド型電池蓋を電池取り出し位置にスライドさせた後に、電池を電池収納部から取り出す前に、スライド型電池蓋を方形ブロック体の切換操作部から取り取り外さなければならない。また、新しい電池を電池収納部に収納し、スライド型電池蓋をケースに取り付けるためには、スライド型電池蓋を方形ブロック体の切換操作部に一体化する作業が必要である。しかしながら、これらの動作は利用者にとって結構面倒である。また、スライド型電池蓋を方形ブロック体の切換操作部に着脱可能に一体化するためには、スライド型電池蓋と方形ブロック体の切換操作部のそれぞれの構造に設計上の制約が伴うという問題もある。それ故、特許文献２に開示の電池交換スイッチも、より小型化した電子機器である電子歩数計には適用することができないものである。
【特許文献１】実開平１−１４２０５８号公報
【特許文献２】特開平５−２２５１４０号公報
【発明の開示】
【発明が解決しようとする課題】
【０００９】
本発明が解決しようとする課題は、構成が簡単で装置の小型化に適し、且つ利用者の必然の行為で操作される電池交換スイッチを備え、電池交換時のメモリのデータを保護が確実に行われる電子歩数計を提供することである。
【課題を解決するための手段】
【００１０】
上記課題を解決するために、スライド型電池蓋を備えた電子歩数計において、電池交換スイッチを、一対の接続ピンを有する固定接点を回路基板に配置し、且つ、前記一対の固定接点の先端を短絡又は開放する可動接点部材をスライド型電池蓋の内面の一部に取り付けて構成した。
【００１１】
即ち、上記課題を解決する電子歩数計は、電池収納部にボタン電池を収納した状態を維持しながら第１取り付け位置と第２取り付け位置の間でスライド可能にしてケースに取り付けられたスライド型電池蓋と前記スライド型電池蓋が前記第１取り付け位置と第２取り付け位置にあるとき第１信号と第２信号をそれぞれ発生する電池交換スイッチを備えた電子歩数計であって、前記電池交換スイッチは回路基板の回路パターンを介して信号処理部に接続された一対の固定接点と前記スライド型電池蓋の内面に取り付けられた可動接点とからなり、且つ、前記可動接点は前記スライド型電池蓋が前記第１取り付け位置にあるときには前記一対の固定接点を非導通にし、且つ前記スライド型電池蓋が前記第２取り付け位置にあるときには前記一対の固定接点を導通させることを特徴とするものである。
【発明の効果】
【００１２】
本発明により、利用者の必然の行為で操作される電池交換スイッチを備え、電池交換時のメモリのデータを保護が確実に行われる電子歩数計が提供された。また、本発明に係る電池交換スイッチは、極めて小型で簡単な構成であるので、ケースや電池蓋に大きな形状変更を行う必要がないという製造上のメリットもある。
【発明を実施するための最良の形態】
【００１３】
本発明に係る電子歩数計は、電池収納部にボタン電池を収納した状態を維持しながら第１取り付け位置と第２取り付け位置の間でスライド可能にしてケースに取り付けられたスライド型電池蓋と前記スライド型電池蓋が前記第１取り付け位置と第２取り付け位置にあるとき第１信号と第２信号をそれぞれ発生する電池交換スイッチを備えた電子歩数計であって、前記電池交換スイッチは回路基板の回路パターンを介して信号処理部に接続された一対の固定接点と前記スライド型電池蓋の内面に取り付けられた可動接点とからなり、且つ、前記可動接点は前記スライド型電池蓋が前記第１取り付け位置にあるときには前記一対の固定接点を非導通にし、且つ前記スライド型電池蓋が前記第２取り付け位置にあるときには前記一対の固定接点を導通させることを特徴とするものである。
【実施例１】
【００１４】
本発明は適用される電子歩数計は、図示しない加速度センサの出力信号を信号処理部で演算処理して歩数を計測し、メモリに歩数データ記憶すると共に積算歩数その他のデータを液晶表示部に表示させるものである。前記信号処理部はＣＰＵなどの電子部品で構成されている。以下、本発明の実施例１の電子歩数計を、図１〜図４を参照し詳細に説明する。
【００１５】
実施例１の電子歩数計は、電池収納部４が形成された歩数計ケース１を有する。歩数計ケース１は上ケース１ａと下ケース１ｂからなるものである。歩数計ケース１には、ＣＰＵなどの電子部品が実装された回路基板３と、液晶表示部９が収納配置されている。スライド型電池蓋２は、平面図で長方形の板部材であって、一端部は歩数計ケース１の下ケース１ｂの形状に合わせて湾曲している。電池収納部４の底面にはマイナス電池端子１１、スライド型電池蓋２の内面にはプラス電池端子１０が夫々取り付けられている。
【００１６】
スライド型電池蓋２のスライド方向の両側面には、複数のケース係合部２ａが形成されている。即ち、図１（Ｂ）、図３（Ｂ）、図４（Ｂ）に示す如く、スライド型電池蓋２の上側側面に３個、下側側面に２個形成されている。そして、ケース係合部２ａは、図２に示す如く、断面がＬ型凸部である。
【００１７】
電池収納部４が形成された下ケース１ｂには、図１（Ｂ）、図３（Ｂ）、図４（Ｂ）に示す如く、スライド型電池蓋２のケース係合部２ａとスライド可能に係合する電池蓋係合部１ｃが形成されている。そして、電池蓋係合部１ｃは、図２に示す如く、断面が凹部もしくは開口部である。
【００１８】
電池収納部４が形成されている下ケース１ｂと、スライド型電池蓋２が上述の如く構成されているので、電池収納部２にボタン電池５を収納した状態を維持しながら、スライド型電池蓋２は図３の第１取り付け位置と図１の第１取り付け位置の間で平面的にスライドすることができる。要するに、スライド型電池蓋２の平面的なスライドは、スライド方向に平行な両側面にＬ型凸部のケース係合部２ａに、Ｌ型凸部のケース係合部２ａに対応する電池収納部４の両側面に形成された凹部の電池蓋係合部１ｃに案内されて行われるのである。
【００１９】
電池交換スイッチ、即ち、電池交換時のメモリのデータを保護するために、電池交換状態であることを電子歩数計のＣＰＵに認識させる信号を発生する電池交換スイッチは、回路基板３に取り付けられた一対の固定接点と、スライド型電池蓋２に取り付けられたか可動接点とで構成されている。
【００２０】
前記一対の固定接点は、一対の接続ピン６を含んで構成されている。一対の接続ピン６は、スライド型電池蓋２に覆われる下ケース１ｂの部分に形成されているピン貫通孔１２に挿入され、回路基板３に一端が電気的に接続されている導電性弾性部材、即ち導電性コイルばね７によって回路基板３の反対側に押圧されている。このような構成によって、一対の接続ピン６の一端は回路基板３に電気的に接続され、その他端は自由端となっている。
【００２１】
一方、前記可動接点は、スライド型電池蓋２の内面に配置された導電性部材８ａと非導電性部材８ｂで構成されている。導電性部材８ａと非導電性部材８ｂは、例えば、スライド型電池蓋２の内面にその大部分をカバーして取り付けられている電池プラス端子１０の一部を切り除いた領域に配置されている。即ち、電池プラス端子１０の一部を、スライド型電池蓋２がスライドする距離、即ち第１取り付け位置と第２取り付け位置との間隔、及び一対の接続ピン６の自由端の配置間隔によって定まる形状と面積分だけ切り除くと、非導電性材料の電池蓋２の内面が部分的に露出する。そこで、この電池蓋２の内面の露出した部分の一部に薄板の導電性部材８ａを取り付けることによって、導電性部材８ａと非導電性部材８ｂが同時に形成される。薄板の導電性部材８ａは、一対の接続ピン６の配置間隔に対応した面積の略長方形の導電性薄板であって、電池プラス端子１０と同じ材料が望ましい。また、薄板の導電性部材８ａの配置位置は、スライド型電池蓋２が第２取り付け位置にあるときに一対の接続ピン６の自由端が対向する位置である。
【００２２】
上述の如くにして可動接点を形成すると、図１（Ｂ）から明らかな如く、電池蓋２が第２取り付け位置にあるときには、一対の接続ピン６の自由端と導電性部材８ａは接触し、且つ、非導電性部材８ｂを介して電池プラス端子１０で完全に囲まれている。従って、導電性部材である電池プラス端子１０は電池交換スイッチに対して電磁シールドとして機能し、外部ノイズが一対の接続ピン６を介して電子歩数計に侵入するのを防止している。
【００２３】
以下、本発明の実施例１における電池交換の動作を説明する。先ず、電池５を電池収納部４に収納しただけで、スライド型電池蓋２はケース１の第１取り付け位置に取り付けられていない状態は図４に示す如くである。この状態では、電池交換スイッチは、その固定接点である一対の接続ピン６がその可動接点である導電性部材８ａと接触していないので、オフである。また、電池マイナス端子１１はボタン電池５のマイナス極が接触しているが、電池プラス端子１０はボタン電池５のプラス極と離間している。従って、電子歩数計の電源はオフである。
【００２４】
次に、スライド型電池蓋２を第１取り付け位置において、その両側面のＬ型凸部のケース係合部２ａを電池収納部４の両側面に形成された凹部の電池蓋係合部１ｃに係合させ、ケース１に取り付ければ、図３の如くとなる。即ち、電池マイナス端子１１はボタン電池５のマイナス極が接触し、同時に電池プラス端子１０はボタン電池５のプラス極と接触し、電子歩数計の電源はオンの待機状態となる。そして、電池交換スイッチは、その固定接点である一対の接続ピン６がその可動接点である非導電性部材８ｂと接触するので、短絡させられることはなく、オフのままである。
【００２５】
続いて、スライド型電池蓋２を第１取り付け位置から第２取り付け位置にスライドさせ、電池蓋を完全に閉じてしまうと、図１の如くとなる。即ち、電池交換スイッチは、その固定接点である一対の接続ピン６がその可動接点である導電性部材８ａと接触して短絡させられ、オンとなる。換言すれば、このとき、電池交換スイッチは第２信号を発生したのである。ところで、一対の接続ピン６は、回路基板３の図示しない回路パターンを介して、信号処理部のＣＰＵの入力端子に接続されている。従って、電池交換スイッチがオンすると、ＣＰＵは電池５が正常にセットされたと判断し、待機状態にある電源をオン状態に切り替える。これによって、電子歩数計は動作可能な状態になる。このようにして、電池セットの動作が終了する。
【００２６】
次に電池を取り外す場合の動作であるが、これは図１の状態から図３の状態を経て図４の状態に至る動作である。即ち、この図１の状態では、ボタン電池５は電池収納部４に安定的に収納されており、且つ電子歩数計は動作可能な状態にある。そして、電池交換スイッチは、その固定接点である一対の接続ピン６がその可動接点である導電性部材８ａと接触して短絡させられている。
【００２７】
ここで、スライド型電池蓋２を第２取り付け位置から第１取り付け位置にスライドさせると、図３の如くとなる。即ち、電池マイナス端子１１はボタン電池５のマイナス極が接触し、同時に電池プラス端子１０はボタン電池５のプラス極と接触し、電子歩数計の電源はオン状態である。そして、電池交換スイッチは第２取り付け位置から第１取り付け位置にスライドの過程で、その固定接点である一対の接続ピン６がその可動接点である導電性部材８ａから離なれて非導電性部材８ｂと接触し、オンからオフに切り替わる。換言すれば、電池交換スイッチは第１信号を発生したのである。すると、この第１信号が入力されると、ＣＰＵは電池の取り外しが行われると判断し、電池交換が終了するまでメモリのデータを保護するための必要な処理を行い、同時に電源を動作待機状態に切り替える。
【００２８】
電池交換のための必要な処理が終了した後は、第１取り付け位置でスライド型電池蓋２をその両側面のＬ型凸部のケース係合部２ａを電池収納部４の両側面に形成された凹部の電池蓋係合部１ｃとの係合を解除し、ケース１から取り外せば、図４に示す如くとなる。後は、ボタン電池５を電池収納部４から取り外すだけである。
【図面の簡単な説明】
【００２９】
【図１】電池蓋がケースの第２取り付け位置に取り付けられている電子歩数計の部分断面図（Ａ）と部分平面図（Ｂ）である。
【図２】電池蓋がケースの第２取り付け位置に取り付けられている電子歩数計の図１と直角な方向から見た部分断面図である。
【図３】電池蓋がケースの第１取り付け位置に取り付けられている電子歩数計の部分断面図（Ａ）と部分平面図（Ｂ）である。
【図４】電池蓋がケースの第１取り付け位置に取り付けられる前の電子歩数計の部分断面図（Ａ）と部分平面図（Ｂ）である。
【符号の説明】
【００３０】
１  ケース
１ａ  上ケースと
１ｂ  下ケース
１ｃ  電池蓋係合部
２  電池蓋
２ａ  ケース係合部
３  回路基板
４  電池収納部
５  電池
６  接続ピン
７  導電性コイルばね
８  板状可動接点部材
８ａ  導電性部材
８ｂ  非導電部材
９  液晶表示部
１０  電池プラス端子
１１  電池マイナス端子
【図１】
2009175940.tif 000003
【図２】
2009175940.tif 000004
【図３】
2009175940.tif 000005
【図４】
2009175940.tif 000006